(57)【要約】　　　（修正有）【課題】高い慣性モーメントと同時にインパクト時における所要の動的応答が得られるパターゴルフクラブヘッドの提供。【解決手段】　パターゴルフクラブヘッド（１００）は、ヒール（１０６）とトウ（１０４）に比較的高密度のインサート（２０２，２０４）が装着された本体（１０２）を有する。本体は約３．０ｇ／ｃｍ3〜７．０ｇ／ｃｍ3の密度を有する第１の材料（例えばチタン）から形成される。２つの空所（２０６，２０８）が本体に形成され、１つの空所は、ヒール領域に隣接しており、また他の空所は、トウ領域に隣接している。インサートはこれら２つの空所のそれぞれに装着されるものであり、約１５．０ｇ／ｃｍ3〜２０．０ｇ／ｃｍ3の範囲の密度を有する第２の材料（例えばタングステン）から形成される。空所は、本体の底面および／または前面まで延びるように（またはそれらの面により区切られるように）、構成できる。【選択図】　図２
2004130125.tif 000002
【特許請求の範囲】
【請求項１】
　ヒールとトウとを有する型式のゴルフパタークラブヘッドであって、
　第1の密度を有する第１の材料から形成される本体を有し、該本体は前記ヒール領域に形成される第１の空所、および前記トウ領域に形成される第２の空所とを有し、、
　前記第１の空所内に設けられる第１のインサートと前記第２の空所内に設けられる第２のインサートとを有し、該第１及び第２のインサートは第２の密度を有する第２の材料から形成され、
　前記第１の密度は、約３．０ｇ／ｃｍ3〜７．０ｇ／ｃｍ3の範囲の値を有し、
　前記第１の材料は、約４．０ｇ／ｃｍ3よりも大きい元素密度を有する主成分を含み、
　前記第２の密度は、約１５．０ｇ／ｃｍ3〜２０．０ｇ／ｃｍ3の範囲の値を有する、ゴルフパタークラブヘッド。
【請求項２】
　前記第１の材料の主成分はチタンである請求項１のゴルフパタークラブヘッド。
【請求項３】
　前記第２の材料の主成分はタングステンである請求項１のゴルフパタークラブヘッド。
【請求項４】
　前記第１の密度は、約４．０ｇ／ｃｍ3〜６．０ｇ／ｃｍ3の範囲の値を有し、また前記第２の密度は、約１７．０ｇ／ｃｍ3〜１９．０ｇ／ｃｍ3の範囲の値を有する請求項１のゴルフパタークラブヘッド。
【請求項５】
　前記第１と第２のインサートは、ほぼ同一の質量を有する請求項１のゴルフパタークラブヘッド。
【請求項６】
　前記本体は底面をさらに備え、また前記第１と第２のインサートは前記底面の一部を有する請求項１のゴルフパタークラブヘッド。
【請求項７】
　前記本体は前面をさらに備え、また前記第１と第２のインサートは前記前面の一部を有する請求項１のゴルフパタークラブヘッド。
【請求項８】
　ヒール領域とトウ領域を有する型式のゴルフパタークラブヘッドであって、
　一定の弾性係数と第1の密度とを有する第１の材料から形成される本体を有し、
　前記本体は、前記ヒール領域に形成された第１の空所および前記トウ領域に形成された第２の空所を有し、
　前記第１の空所内に設けられる第１のインサートと、前記第２の空所内に設けられる第２のインサートとを有し、
　前記第１と第２のインサートは第２の密度を有する第２の材料から形成され、
　前記第１の材料の前記弾性係数は、約９０ＧＰａよりも大きく、
　前記第２の密度は、少なくとも３．０倍、前記第１の密度よりも大きいゴルフパタークラブヘッド。
【請求項９】
　前記第１の材料はチタンを有する請求項８のゴルフパタークラブヘッド。
【請求項１０】
　前記第２の材料はタングステンを有する請求項８のゴルフパタークラブヘッド。
【請求項１１】
　前記第１の密度は、約４．０ｇ／ｃｍ3〜６．０ｇ／ｃｍ3の範囲の値を有し、また前記第２の密度は、約１７．０ｇ／ｃｍ3〜１９．０ｇ／ｃｍ3の範囲の値を有する請求項８のゴルフパタークラブヘッド。
【請求項１２】
　前記第１の材料の前記弾性係数は、約１１０ＧＰａよりも大きい請求項８のゴルフパタークラブヘッド。
【請求項１３】
　前記第１と第２のインサートは、ほぼ同一の質量を有する請求項８のゴルフパタークラブヘッド。
【請求項１４】
　前記本体は底面をさらに備え、また前記第１と第２のインサートは前記底面の一部分を有する請求項８のゴルフパタークラブヘッド。
【請求項１５】
　前記本体は前面をさらに備え、また前記第１と第２のインサートは前記前面の一部分を有する請求項１のゴルフパタークラブヘッド。
【請求項１６】
　ゴルフパタークラブヘッドを製造する方法であって、
　（ａ）約３．０ｇ／ｃｍ3〜７．０ｇ／ｃｍ3の第１の密度を有する第１の材料から本体を形成する段階であって、前記第１の材料は、約４．０よりも大きい元素密度を有する金属を、その主成分として備え、前記本体は、ヒール領域、トウ領域、前記ヒール領域内の第１の空所、および前記トウ領域内の第２の空所を有する、段階と、
　（ｂ）約１５．０ｇ／ｃｍ3〜２０．０ｇ／ｃｍ3の第２の密度を有する第２の材料から第１のインサートと第２のインサートを形成する段階、
　（ｃ）前記第１の空所内に前記第１のインサートを装着する段階、および
　（ｄ）前記第２の空所内に前記第２のインサートを装着する段階、
　を有する方法。
【請求項１７】
　前記段階（ａ）は、前記本体をチタンから形成することを含む請求項１６の方法。
【請求項１８】
　前記段階（ｂ）は、前記第１と第２のインサートをタングステンから形成することを含む請求項１６の方法。
【請求項１９】
　前記第１の密度は、約４．０ｇ／ｃｍ3〜６．０ｇ／ｃｍ3の範囲の値を有し、また前記第２の密度は、約１７．０ｇ／ｃｍ3〜１９．０ｇ／ｃｍ3の範囲の値を有する請求項１６の方法。
【請求項２０】
　前記段階（ｂ）は、前記第１と第２のインサートがほぼ同一の質量を有するように、前記第１と第２のインサートを形成することを含む請求項１６の方法。
【請求項２１】
　前記段階（ｃ）および（ｄ）は、銅ロウ付けを行うことを含む請求項１６の方法。
【請求項２２】
　前記段階（ａ）は、前記第１と第２の空所が底面と交差するように、前記本体に前記底面を形成することを含む請求項１６の方法。
【請求項２３】
　前記段階（ａ）は、前記第１と第２の空所が前面と交差するように、前記本体上に前記前面を形成することを含む請求項１６の方法。
【請求項２４】
　前記第１と第２のインサートが前記前面とほぼ面一になるように、前記前面をフライス削りする段階をさらに含む請求項２３の方法。
【請求項２５】
　前記段階（ｃ）は、粉体金属加圧工程を利用して前記第１と第２のインサートを形成することを含む請求項１６の方法。
【請求項２６】
　前記段階（ａ）は、鋳造工程を利用して前記本体を形成することを含む請求項１６の方法。
【請求項２７】
　前記鋳造工程後に前記本体の少なくとも一部分をフライス削りする段階をさらに含む請求項２６の方法。
【請求項２８】
　ヒール領域とトウ領域とを有する型式のゴルフパタークラブヘッドであって、
　底面と前面を有するチタン製の本体を有し、該本体は、前記ヒール領域に形成される第１の空所、および前記トウ領域に形成される第２の空所を有するものであり、
　前記第１の空所内に設けられる第１のタングステン製のインサートと、前記第２の空所内に設けられる第２のタングステン製のインサートとを有し、
　前記第１と第２のタングステン製のインサートは、ほぼ同一の質量を有し、
　前記第１と第２の空所は、前記第１と第２のインサートが前記底面および前記前面の両方とほぼ面一になるように、前記底面および前記前面の両方から区切られるゴルフパタークラブヘッド。
【請求項２９】
　前記第１と第２のインサートの各々の質量は、約５０グラムと１００グラムとの間である請求項２８のゴルフパタークラブヘッド。
【請求項３０】
　前記本体は所定の本体質量を有し、また前記第１と第２のインサートは、前記本体質量の約４０％以上の総合インサート質量を有するクレーム１８のゴルフパタークラブヘッド。
【請求項３１】
　前記本体質量と前記総合インサート質量との合計は、約３１５グラムと３８０グラムとの間である請求項２８のゴルフパタークラブヘッド。
【発明の詳細な説明】
【技術分野】
【０００１】
　本発明は、一般に、ゴルフクラブ、特に高密度のヒールと、トウのインサートを有するゴルフパタークラブヘッドに関する。
【背景技術】
【０００２】
　ゴルファーのパッティングストロークは、非常に個人的なもので、ゴルフクラブの機械的特性ばかりではなく、複雑な主観的かつ心理的な要素にも左右される。かくして、パタークラブヘッドは、クラブヘッドの１つの特定の機械的特性を、そのクラブの他の競合する同様に重要な特性に優先させるように設計できる。
【０００３】
　例えば、クラブの慣性モーメントを増加するために、ヒールとトウの重み付けをクラブヘッド本体に組込むのが望ましいことが多い。この増加された慣性モーメントにより、ゴルファーがゴルフボールをその中心から外れて打った場合に、クラブヘッドの方向外れが減少される傾向がある。慣性モーメントを増加しようとして、従来技術のクラブヘッドは、ヒールとトウの重り用の高密度材料と共に、クラブヘッド本体用の低密度材料（アルミニウムのような）を一般に利用している。
【０００４】
　例えば、特許文献１は、クラブヘッド本体をアルミニウムから形成することにより付与される高い慣性モーメントを有するゴルフクラブパターを開示している。同様に、特許文献２は、低密度（例えばアルミニウム）クラブヘッドとともに使用される金属（例えば銅）製のヒールとトウの重りを開示している。
　クラブヘッド本体に低密度材料の使用が、クラブヘッドの慣性モーメンの増加に役立つことがあるが、そのような材料は、一部のゴルファーにとり好ましくない機械的特性を示す。例えば、多くのゴルファーは、硬質で応答の高い中実金属面、およびゴルフボールを打ったときに付随する「硬い」音と感触を好む。アルミニウムのような低密度材料は、一般には、この種の応答を示さない。
【０００５】
【特許文献１】米国特許第４，５０８，３５０号
【特許文献２】米国特許第４，９１５，３８５号
【発明の開示】
【発明を解決するための手段】
【０００６】
　本発明は、ゴルフクラブ本体のものよりも大きい密度を有するヒールとトウのインサートが嵌合された本体を備えたパタークラブヘッドを提供する。本体とインサート用の対応する材料は、高い慣性モーメントを生成し、同時に、インパクト時に所要の動的応答を示すように選択される。例えば、本発明の一態様によれば、ゴルフパタークラブヘッドは、約３．０ｇ／ｃｍ3〜７．０ｇ／ｃｍ3の密度を有する第１の材料（例えばチタン）から形成される本体を備える。２つの空所が本体に形成され、１つの空所は、本体のヒール領域内またはそれに隣接しており、また他の空所は、トウ領域内またはそれに隣接している。インサートが、２つの空所のそれぞれに設けられ、かつ約１５．０ｇ／ｃｍ3〜２０．０ｇ／ｃｍ3の範囲の密度を有する第２の材料（例えばタングステン）から形成される。
【０００７】
　本発明の他の態様によれば、第１と第２のインサートを、それらがクラブヘッドの底面および／または前面の一部分から成るように構成できる。本発明の別の態様によれば、本体の前面を、インサートが前面とほぼ面一になるように機械加工（例えばフライス削り）できる。
【０００８】
　本発明のさらに他の態様によれば、パタークラブヘッドの本体は、約９０ＧＰａよりも大きい弾性係数を有するが、インサートの密度は、少なくとも３．０倍、本体材料の密度よりも大きい。
【発明を実施するための最良の形態】
【０００９】
　本発明を、同様な数字が同様な構成部材を示す添付図面に関連して以下に説明する。
【００１０】
　本発明は、クラブヘッド本体材料よりも大きくかつ特定の値の範囲内に入る密度を有する材料から形成されるヒールとトウのインサートを備えたゴルフパタークラブヘッドを提供する。本発明の一態様によれば、材料は、高い密度比（すなわち、インサート材料密度と本体材料密度との比）の必要性を、例えば弾性係数、硬度および／またはそのような他の特性や諸特性により特徴づけられる適切な動的応答を生じる本体材料の必要性とバランスさせるように選択される。
【００１１】
　図１を参照すると、本発明の一実施例による代表的なゴルフパタークラブヘッド１００は、前面１１２と、底面すなわち「ソール」１１４と、ヒール領域１０６と、トウ領域１０４とを有する本体１０２備える。本体１０２は、一般的に適当なホーゼル１０８を介してシャフト１１０へ取付けられる。クラブヘッド１００の本体１０２は、対応するインサートをヒール領域１０６とトウ領域１０４で受容するように構成された２つの空所（図１には示されていない）を本体１０２が備えるように、形成される。
【００１２】
　特に図２を参照すると、本体１０２は、トウ領域１０４およびヒール領域１０６の内部に、近くに、またはそれらに隣接して、２つの空所、「切欠き」、スロット、穴、または他のそのように全体的にまたは部分的に仕切られた空所２０６および２０８を備える。インサート２０２および２０４は、それらが対応する空所２０６および２０８をほぼ充填するように、本体１０２内に受容されるか、それへ装着されるか、またはそれと一体になるように構成される。
【００１３】
　本体１０２は、以下で詳細に述べるように、種々の規準に従って選択された適切な金属、プラスチック、複合材料またはそれらの組合せから構成される。例えば一実施例によれば、本体１０２は、チタンまたは高純度チタン合金のような、約３．０ｇ／ｃｍ3〜７．０ｇ／ｃｍ3の密度を有する材料から構成される。特に本体１０２は好適には、所定の値、例えば約４．０ｇ／ｃｍ3よりも大きい元素密度を有する金属を主成分として含む材料から構成される。
【００１４】
　ここで使用される用語「主成分」とは、本体１０２の全質量のうちの最も高いパーセンテージを占める特定の元素または材料を指す。例えば本体１０２は、約０．２５％までの酸素、０．０３％までの窒素、０．０８％までの炭素、０．０１５％までの水素、０．３％までの鉄および０．４％までの残余元素を含む市販純度等級２のチタンから形成できる。他の実施例において本体１０２は、約３．０％のアルミニウムおよび２．５％のカドミウムと合金されたチタンを使用して形成される。これら両方の場合にチタンは主成分である。用語「元素密度」とは、合金されない元素、または「純粋な」元素の密度を指す。例えば、チタンの元素密度は、約４．５ｇ／ｃｍ3であり、一方、アルミニウムの元素密度は、約２．７ｇ／ｃｍ3である。
【００１５】
　上述の実施例には、金属材料から製造された本体１０２が含まれるが、本発明は、そのように限定されない。例えば、本体１０２の主成分は、所要の特性を有する複合材料またはプラスチック材料を含んでもよい。
【００１６】
　選択された材料または諸材料に応じて、本体１０２は、インベストメント鋳造法、粉体金属処理、および／または金属機械加工のような種々の従来の鋳造法を含む、既知または最近開発された任意の適切な製造法を利用して製造できる。一実施例において本体１０２は、適切な鋳造法により形成され、ついで種々の露出された表面を仕上げるためにフライス加工される。これに関しては、従来のインベストメント鋳造法は、当業者にとり周知であるので、ここで詳細には説明しない。そのような製造法に関してのさらなる情報については、ここで参照によって導入する、例えば、SOPCAKのHANDBOOK OF LOST WAX OR INVESTMENT CASTING （１９８６年版）を参照されたい。
【００１７】
　本体１０２は、例えば、クラブヘッドの型式（パター、ウッドなど）、所要の慣性モーメント（例えば、クラブヘッドソールに直角な軸の回りの中心慣性モーメント）、所要の重心、所要の美観的特性（例えば、プレイ中に上から見たときのクラブヘッドの輪郭により形成される視覚的キュー(cues)）、および／または所要の重さ、質量および密度を含む、幾つかの要素に応じた適切なクラブヘッド形状で形成される。これに関しては、図１〜６に示される代表的なクラブヘッド形状は、単なる説明のためのものであること、および本発明はそのように限定されないことが明らかである。
【００１８】
　本体１０２は、面１１２の長さ方向に変わり得る適切な面厚ｔを有する。厚さｔは、特に面１１２の中心近くでは、ゴルフボールを打つクラブヘッド１００へ適切に応答できるように選択される。一実施例において厚さｔは、約２００ミル（約７．９ミクロン）から約５００ミル（約１９．７ミクロン）までの範囲の値、好ましくは３００ミル（１１．８ミクロン）から４００ミル（１５．７ミクロン）まで、最も好ましくは約３２５ミル（１２．８ミクロン）までの間の値を有する。
【００１９】
　空所２０６および２０８には、適切な「切欠き」、スロット、穴、または他のそのように形成された空所が含まれる。空所２０６および２０８は、インサート２０２および２０４が対応する空所に挿入されると、クラブヘッドが最終的に目立った視覚外観を有するように、本体１０２内に形成できる。このような目立った視覚外観は、形状、色、外見および／またはそのようなものの組合せを利用して提供できる。図２〜６は、本体１０２に関してのインサート２０２および２０４についての代表的な構成を具体的に示す。しかしながら、図２〜６に示される代表的なインサート２０２および２０４は、インサートの形状寸法の可能性を制限しようとするものでないことが明らかでる。
【００２０】
　空所２０６および２０８は、インサート２０２および２０４がクラブヘッド１００の１つ以上の露出された面、例えばクラブヘッドの上端面、後面、底面、前面および／または側面の一部分から成るように、本体１０２に対して形成できる。図２〜６に示される本発明の種々の実施例においてインサート２０２および２０４は、前面１１２および底面１１４の一部分を構成する。この配置は、トウ領域１０４とヒール領域１０６の正反対の末端部側への比較的高密度のインサートの配置に役立ち（かくして、クラブヘッド１００の慣性モーメントを増加し）、一方同時に、その重量を低くし、かつ底面１１４へ近づける（かくして、質量中心を低くし、かつインパクト時の所要の回転特性を容易に実現する）。これに関して、図２〜６に示される本発明の種々の実施例では、本体１０２の底面１１４と前面１１２を横断するインサートを具体的に示すが、本発明は、１つ以上のインサートを、本体１０２により全体的または部分的に取囲んでも良いし、または任意の数の位置において本体１０２の外面まで延ばしても良いことを包含する。
【００２１】
　インサート２０２および２０４は、本体１０２のものよりも大きい密度を有する一つもしくは複数の材料から製造される。このような、比較的高密度のインサートの組込みにより、クラブヘッド１００について高い慣性モーメントが生じる。慣性モーメントが高いほど、ゴルフボールを中心を外れた位置で打ったときに、クラブヘッド１００はねじれにくくなる。これに関して、インサート２０２および２０４は、種々の金属、プラスチック、複合材料、またはそれらの組合せを含む適切な材料を使用して製造できる。一実施例においてインサート２０２および２０４は、約１５．０ｇ／ｃｍ3〜２０．０ｇ／ｃｍ3の範囲の密度を有するタングステンのような材料から成る。好ましい実施例においてインサート２０２および２０４の密度は、１７．０ｇ／ｃｍ3〜１９．０ｇ／ｃｍ3の範囲内である。
【００２２】
　インサート２０２および２０４は、ヒール領域１０６とトウ領域１０４へ適切な量の重みを付けるように構成できる。一実施例においてインサート２０２および２０４の合計重量は、５０グラム〜１００グラムの範囲内にある。クラブヘッド１００の合計重量が約３１５〜３８０グラム（好ましくは約３４５グラム）である特定の実施例において、インサート２０２および２０４の合計重量は、７５〜１０５グラムの範囲、好ましくは約８５〜９５グラムの範囲内であり、最も好ましくは約９０グラムである。対称のためには、ほぼ同一の重さを有するインサート２０２および２０４をクラブヘッド１００に装着することが好都合である。しかしながら本発明は、様々な重さを有する、および／または様々な材料から製造されるインサートの使用も意図する。そのような実施例は、例えば、クラブヘッド１００の他の非対称を相殺するために、かつクラブヘッド１００の質量中心を前面１１２の中心に好適に合わせるために、好都合でもある。
【００２３】
　インサート２０２および２０４は、接着剤および／またはハンダ付けおよびロウ付けなどのような従来の金属接合作業の使用を含む、既知または最近開発された適切な方法を使用して、対応する空所２０６および２０８内に固定できる。一実施例においてインサート２０２および２０４は、従来の銅ロウ付け法を使用して、対応する空所２０６および２０８の１つもしくは複数の内面に装着できる。ロウ付け法は、当業者に周知適切なメッキ法を伴うことができる。インサート２０２および２０４が本体１０２の１つもしくは複数の外面（例えば、図２〜６に示されるように前面１１２または底面１１４）まで延びる場合、結果として生じた表面を、インサート２０２および２０４が本体１０２とほぼ面一であるように、フライス削りすることが有利である。
【００２４】
　本発明の他の態様によれば、１つもしくは複数のインサートが、クラブヘッドの背後側に、すなわちクラブヘッドの縁部および／または背面に沿って組込まれる。そのような実施例は、「木づち状(mallet-shaped)」クラブヘッドにおいて特に有利である。このような、付加的なインサートの使用は、クラブヘッドの中心慣性モーメントの増加に役立つ。同時に、クラブヘッドの重心を、低い輪郭のインサートを使用することにより低くできる。すなわち、所定の合計インサート重さとすると、低い輪郭のインサートを使用することにより、より低い重心が生じる。例えば、図９は、前面１１２と反対位置に中心が決められた単一の重り９０２（例えば、上述のようなタングステン重り）を示す。図１０は、一般にヒールとトウの位置においてクラブヘッドの背面内に固定される一対の重り９０４と９０６の利用を示す。インサート２０２および２０４の場合と同様に、インサート９０２、９０４および／または９０６は、それらがクラブヘッドの種々の露出された外面の一部分を形成するように、形状を定め、および本体１０２内に配置できる。代わりにインサート９０２、９０４および／または９０６を、本体１０２により全体的に、或いはほぼ全体的に取囲むことができる。
【００２５】
　上述のように、本体１０２およびインサート２０２と２０４用の材料は好ましくは、インサート２０２と２０４に使用される材料の密度が、本体１０２に使用されるものよりも実質的に大きいように、選択される。これに関して、図７は、インサートと本体の材料についての代表的な密度範囲をグラフで示す。１つの四角形設計領域７０４が、約３．０ｇ／ｃｍ3〜７．０ｇ／ｃｍ3の本体材料密度範囲、および１５．０ｇ／ｃｍ3〜２０．０ｇ／ｃｍ3のインサート材料密度範囲により限定される。第２の設計領域７０２は、約４．０ｇ／ｃｍ3〜６．０ｇ／ｃｍ3の本体材料密度範囲、および約１７．０ｇ／ｃｍ3〜１９．０ｇ／ｃｍ3のインサート材料密度範囲により限定される。
【００２６】
　設計領域７０２の中心近くにある特定の実施例において、高純度チタン（例えば、約４．５ｇ／ｃｍ3の密度を有する等級２の市販純度チタン）が本体材料用に使用され、および高純度タングステン（例えば、約１８．０ｇ／ｃｍ3の密度を有する粉体金属加圧タングステン）がインサート材料に使用される。
【００２７】
　本発明の他の実施例によれば、本体とインサート用の種々の材料は、クラブヘッドの慣性モーメントを最大にするように、かつ同時に、インパクト時に所要の応答が生じるように選択される。クラブヘッド１００の慣性モーメントは、非常に低い密度を有する本体材料（例えば、アルミニウム、または幾つかの高分子化合物）を利用することにより非常に高い値まで増加できるが、そのような低密度材料は、クラブヘッド１００の前面１１２がゴルフボールに当るときに望ましくない動態を生じる他の機械的特性を示すことがある。
【００２８】
　種々の機械的特性により、ボールインパクトの特性および結果として生じる動態が制御される。例えば、本体材料の弾性係数は、インパクトの瞬間におけるエネルギー伝達の効率（または「反発係数」）に、かなりの程度まで影響する。例えば、高純度アルミニウムは、高純度チタンよりも低い（およびかなり安価であり）約２．７ｇ／ｃｍ3の密度を有するが、高純度アルミニウムの弾性係数は約７０ＧＰａであり、一方、高純度チタンの弾性係数は、９０ＧＰａよりも大きく、一般に１１０ＧＰａ〜１１５ＧＰａの範囲である。つまり、高い密度比（すなわち、インサート材料密度と本体材料密度との比）の要求を、適切な動的応答（例えば弾性係数、硬度および／またはそのような他の特性によって特徴づけられる）を生じる本体材料の要求とをバランスさせる、本体とインサートの材料を利用することが、多くの場合において望ましい。
【００２９】
　この目的に向けて、図８には、本発明の別の態様に従う種々の設計領域が具体的に示され、そこにおいて、材料密度は、有利には高い弾性係数を有する本体材料を同時に利用しながら、特定のインサート材料密度を達成するように選択される。設計領域８０２は、９０ＧＰａよりも大きいか等しい弾性係数と、約１５．０ｇ／ｃｍ3〜２０．０ｇ／ｃｍ3の範囲のインサート材料密度とにより限定される。設計領域８０４は、１１０．０ＧＰａよりも大きいか等しい弾性係数と、約１７．０ｇ／ｃｍ3〜１９．０ｇ／ｃｍ3の範囲のインサート材料密度とにより限定される。
【００３０】
　再び、上述の実施例は、金属材料から製造された本体１０２を備えるが、本体１０２の主成分は、望ましい範囲内の密度および／または弾性係数を有する複合材料またはプラスチック材料を含んでもよい。
【００３１】
　最終的に提供されるものは、比較的高密度のヒールとトウのインサート（例えばタングステンインサート）が装着された比較的低密度の本体（例えばチタン本体）を有するパターゴルフクラブヘッドである。本発明を添付図面とともにここに説明してきたが、当業者は、本発明の範囲がそのように限定されないことが分るであろう。例えば、本発明をゴルフパターに関して説明してきたが、アイアン、メタルウッドなどを含む多くの他の型式のゴルフクラブは本発明の恩恵を受け得る。さらに、チタンおよびタングステンを、本体およびインサートのそれぞれにとり好ましい材料として引用してきたが、種々の金属、合金、複合材料、およびセラミックなどを含む、既知または最近開発された適切な材料を、本発明に関連して使用できることは明らかである。ここで論じた種々の構成部材の選択、設計および配置ならび方法における、これらの変更態様、および他の変更態様は、特許請求の範囲から逸脱することなく成し得るものである。
【図面の簡単な説明】
【００３２】
【図１】本発明の一実施例によるゴルフパタークラブヘッドの斜視図である。
【図２】ゴルフパタークラブヘッドおよび付属のインサートの斜視図である。
【図３】本発明の一実施例によるゴルフパタークラブヘッドの斜視図である。
【図４】本発明の別の実施例によるゴルフパタークラブヘッドの斜視図である。
【図５】本発明の他の実施例によるゴルフパタークラブヘッドの斜視図である。
【図６】本発明のさらに他の実施例によるゴルフパタークラブヘッドの斜視図である。
【図７】本発明の種々の実施例による本体密度とインサート密度との間の量的関係を示すグラフである。
【図８】本発明の種々の実施例による弾性係数とインサート密度との間の量的を示すグラフである。
【図９】本発明のさらに他の実施例による種々のゴルフパタークラブヘッドの背面図である。
【図１０】本発明のさらに他の実施例による種々のゴルフパタークラブヘッドの背面図である。
【符号の説明】
【００３３】
１００ ゴルフパタークラブヘッド
１０２ 本体
１０４ トウ領域
１０６ ヒール領域
１１２ 前面
１１４ 底面
２０２，２０４，９０２，９０４，９０６    インサート
２０６，２０８　空所
【図１】
2004130125.tif 000003
【図２】
2004130125.tif 000004
【図３】
2004130125.tif 000005
【図４】
2004130125.tif 000006
【図５】
2004130125.tif 000007
【図６】
2004130125.tif 000008
【図７】
2004130125.tif 000009
【図８】
2004130125.tif 000010
【図９】
2004130125.tif 000011
【図１０】
2004130125.tif 000012